(57)【要約】【課題】カップホルダが複数個のカップ収納部を有する場合であっても、カップホルダの収納スペース上有利な車両用カップホルダの提供。【解決手段】カップベース２０と、第１のカップリテーナ３０と、を有する。カップベース２０は、底壁２１と３方向側壁２２とを備え上面２３と上面２３に連なる一側面２４が開放している。第１のカップリテーナ３０は、カップベース２０内に収納される収納位置３０ａと収納位置３０ａからカップベース２０に対してカップベース２０の開放面２３，２４を通って９０度回動した展開位置３０ｂとにカップベース２０に回動可能に支持されている。第１のカップリテーナ３０には、収納位置３０ａにあるときにおける上壁３１と展開位置３０ｂにあるときにおける上壁３２とにそれぞれ貫通孔３１ａ、３２ａが設けられている。貫通孔３１ａ、３２ａの少なくともいずれか一方は、カップドア６０により開閉可能とされている。【選択図】        図３
2015042514.tif 000002
【特許請求の範囲】
【請求項１】
カップベースと、第１のカップリテーナと、を有し、
前記カップベースは、底壁と３方向側壁とを備え上面と該上面に連なる一側面が開放しており、
前記第１のカップリテーナは、前記カップベース内に収納される収納位置と該収納位置から前記カップベースに対して前記カップベースの開放面を通って９０度回動した展開位置とに前記カップベースに回動可能に支持されており、
前記第１のカップリテーナには、該第１のカップリテーナが収納位置にあるときにおける上壁と展開位置にあるときにおける上壁とにそれぞれ貫通孔が設けられており、該貫通孔の少なくともいずれか一方は、カップドアにより開閉可能とされている、車両用カップホルダ。
【請求項２】
カップベースと、第１のカップリテーナと、第２のカップリテーナと、を有し、
前記カップベースは、底壁と３方向側壁とを備え上面と該上面に連なる一側面が開放しており、
前記第１のカップリテーナは、前記カップベース内に収納される収納位置と該収納位置から前記カップベースに対して前記カップベースの開放面を通って９０度回動した展開位置とに前記カップベースに回動可能に支持されており、展開位置にあるときに底壁と３方向側壁とを備え上面と該上面に連なる一側面が開放しており、
前記第２のカップリテーナは、前記第１のカップリテーナ内に収納される収納位置と該収納位置から前記第１のカップリテーナに対して前記第１のカップリテーナの開放面を通って９０度回動した展開位置とに、前記第１のカップリテーナに回動可能に支持されており、
前記第２のカップリテーナには、前記第１のカップリテーナが前記第１のカップリテーナの収納位置にあり前記第２のカップリテーナが前記第２のカップリテーナの収納位置にあるときにおける上壁と、前記第１のカップリテーナが前記第１のカップリテーナの展開位置にあり前記第２のカップリテーナが前記第２のカップリテーナの収納位置にあるときにおける上壁と、前記第１のカップリテーナが前記第１のカップリテーナの展開位置にあり前記第２のカップリテーナが前記第２のカップリテーナの展開位置にあるときにおける上壁とに、それぞれ貫通孔が設けられており、該貫通孔の少なくともいずれか１つはカップドアにより開閉可能とされている、車両用カップホルダ。
【請求項３】
カップベースと、第１のカップリテーナと、第２のカップリテーナと、第３のカップリテーナと、を有し、
前記カップベースは、底壁と３方向側壁とを備え上面と該上面に連なる一側面が開放しており、
前記第１のカップリテーナは、前記カップベース内に収納される収納位置と該収納位置から前記カップベースに対して前記カップベースの開放面を通って９０度回動した展開位置とに前記カップベースに回動可能に支持されており、該第１のカップリテーナの展開位置にあるときに底壁と３方向側壁とを備え上面と該上面に連なる一側面が開放しており、
前記第２のカップリテーナは、前記第１のカップリテーナ内に収納される収納位置と該収納位置から前記第１のカップリテーナに対して前記第１のカップリテーナの開放面を通って９０度回動した展開位置とに前記第１のカップリテーナに回動可能に支持されており、前記第２のカップリテーナの展開位置にあるときに底壁と３方向側壁とを備え上面と該上面に連なる一側面が開放しており、
前記第３のカップリテーナは、前記第２のカップリテーナ内に収納される収納位置と該収納位置から前記第２のカップリテーナに対して前記第２のカップリテーナの開放面を通って９０度回動した展開位置とに、前記第２のカップリテーナに回動可能に支持されており、
前記第２のカップリテーナには、前記第１のカップリテーナが前記第１のカップリテーナの収納位置にあり前記第２のカップリテーナが前記第２のカップリテーナの収納位置にあるときにおける上壁に貫通孔が設けられており、前記第３のカップリテーナには、前記第１のカップリテーナが前記第１のカップリテーナの収納位置にあり前記第２のカップリテーナが前記第２のカップリテーナの収納位置にあり前記第３のカップリテーナが前記第３のカップリテーナの収納位置にあるときにおける上壁と、前記第１のカップリテーナが前記第１のカップリテーナの展開位置にあり前記第２のカップリテーナが前記第２のカップリテーナの収納位置にあり前記第３のカップリテーナが前記第３のカップリテーナの収納位置にあるときにおける上壁と、前記第１のカップリテーナが前記第１のカップリテーナの展開位置にあり前記第２のカップリテーナが前記第２のカップリテーナの展開位置にあり前記第３のカップリテーナが前記第３のカップリテーナの収納位置にあるときにおける上壁と、前記第１のカップリテーナが前記第１のカップリテーナの展開位置にあり前記第２のカップリテーナが前記第２のカップリテーナの展開位置にあり前記第３のカップリテーナが前記第３のカップリテーナの展開位置にあるときにおける上壁とに、それぞれ貫通孔が設けられており、前記貫通孔の少なくともいずれか１つはカップドアにより開閉可能とされている、車両用カップホルダ。
【発明の詳細な説明】
【技術分野】
【０００１】
本発明は、車両用カップホルダに関する。
【背景技術】
【０００２】
車両用カップホルダは、カップホルダとしても多く使用され、また小物入れとして使用されることもある。そのため、１個のカップホルダに設けられるカップ収納部の数は、多いことが望ましい。ここで、カップホルダは不使用時には邪魔であるため、収納式になっていることが望ましい。
【０００３】
しかし、カップホルダを収納するためには、カップ収納部の数に応じた収納スペースが必要である。そのため、カップホルダが複数個のカップ収納部を有する場合、カップホルダの収納スペースの確保が困難な場合がある。
【先行技術文献】
【特許文献】
【０００４】
【特許文献１】特開２０１１−２３０６２６号公報
【発明の概要】
【発明が解決しようとする課題】
【０００５】
本発明の目的は、カップホルダが複数個のカップ収納部を有する場合であっても、カップホルダの収納スペース上有利な車両用カップホルダを提供することにある。
【課題を解決するための手段】
【０００６】
上記目的を達成する本発明はつぎの通りである。
（１）  カップベースと、第１のカップリテーナと、を有し、
前記カップベースは、底壁と３方向側壁とを備え上面と該上面に連なる一側面が開放しており、
前記第１のカップリテーナは、前記カップベース内に収納される収納位置と該収納位置から前記カップベースに対して前記カップベースの開放面を通って９０度回動した展開位置とに前記カップベースに回動可能に支持されており、
前記第１のカップリテーナには、該第１のカップリテーナが収納位置にあるときにおける上壁と展開位置にあるときにおける上壁とにそれぞれ貫通孔が設けられており、該貫通孔の少なくともいずれか一方は、カップドアにより開閉可能とされている、車両用カップホルダ。
（２）  カップベースと、第１のカップリテーナと、第２のカップリテーナと、を有し、
前記カップベースは、底壁と３方向側壁とを備え上面と該上面に連なる一側面が開放しており、
前記第１のカップリテーナは、前記カップベース内に収納される収納位置と該収納位置から前記カップベースに対して前記カップベースの開放面を通って９０度回動した展開位置とに前記カップベースに回動可能に支持されており、展開位置にあるときに底壁と３方向側壁とを備え上面と該上面に連なる一側面が開放しており、
前記第２のカップリテーナは、前記第１のカップリテーナ内に収納される収納位置と該収納位置から前記第１のカップリテーナに対して前記第１のカップリテーナの開放面を通って９０度回動した展開位置とに、前記第１のカップリテーナに回動可能に支持されており、
前記第２のカップリテーナには、前記第１のカップリテーナが前記第１のカップリテーナの収納位置にあり前記第２のカップリテーナが前記第２のカップリテーナの収納位置にあるときにおける上壁と、前記第１のカップリテーナが前記第１のカップリテーナの展開位置にあり前記第２のカップリテーナが前記第２のカップリテーナの収納位置にあるときにおける上壁と、前記第１のカップリテーナが前記第１のカップリテーナの展開位置にあり前記第２のカップリテーナが前記第２のカップリテーナの展開位置にあるときにおける上壁とに、それぞれ貫通孔が設けられており、該貫通孔の少なくともいずれか１つはカップドアにより開閉可能とされている、車両用カップホルダ。
（３）  カップベースと、第１のカップリテーナと、第２のカップリテーナと、第３のカップリテーナと、を有し、
前記カップベースは、底壁と３方向側壁とを備え上面と該上面に連なる一側面が開放しており、
前記第１のカップリテーナは、前記カップベース内に収納される収納位置と該収納位置から前記カップベースに対して前記カップベースの開放面を通って９０度回動した展開位置とに前記カップベースに回動可能に支持されており、該第１のカップリテーナの展開位置にあるときに底壁と３方向側壁とを備え上面と該上面に連なる一側面が開放しており、
前記第２のカップリテーナは、前記第１のカップリテーナ内に収納される収納位置と該収納位置から前記第１のカップリテーナに対して前記第１のカップリテーナの開放面を通って９０度回動した展開位置とに前記第１のカップリテーナに回動可能に支持されており、前記第２のカップリテーナの展開位置にあるときに底壁と３方向側壁とを備え上面と該上面に連なる一側面が開放しており、
前記第３のカップリテーナは、前記第２のカップリテーナ内に収納される収納位置と該収納位置から前記第２のカップリテーナに対して前記第２のカップリテーナの開放面を通って９０度回動した展開位置とに、前記第２のカップリテーナに回動可能に支持されており、
前記第２のカップリテーナには、前記第１のカップリテーナが前記第１のカップリテーナの収納位置にあり前記第２のカップリテーナが前記第２のカップリテーナの収納位置にあるときにおける上壁に貫通孔が設けられており、前記第３のカップリテーナには、前記第１のカップリテーナが前記第１のカップリテーナの収納位置にあり前記第２のカップリテーナが前記第２のカップリテーナの収納位置にあり前記第３のカップリテーナが前記第３のカップリテーナの収納位置にあるときにおける上壁と、前記第１のカップリテーナが前記第１のカップリテーナの展開位置にあり前記第２のカップリテーナが前記第２のカップリテーナの収納位置にあり前記第３のカップリテーナが前記第３のカップリテーナの収納位置にあるときにおける上壁と、前記第１のカップリテーナが前記第１のカップリテーナの展開位置にあり前記第２のカップリテーナが前記第２のカップリテーナの展開位置にあり前記第３のカップリテーナが前記第３のカップリテーナの収納位置にあるときにおける上壁と、前記第１のカップリテーナが前記第１のカップリテーナの展開位置にあり前記第２のカップリテーナが前記第２のカップリテーナの展開位置にあり前記第３のカップリテーナが前記第３のカップリテーナの展開位置にあるときにおける上壁とに、それぞれ貫通孔が設けられており、前記貫通孔の少なくともいずれか１つはカップドアにより開閉可能とされている、車両用カップホルダ。
【発明の効果】
【０００７】
上記（１）の車両用カップホルダによれば、つぎの効果を得ることができる。
カップホルダの不使用時には、第１のカップリテーナを収納位置に位置させることで車両用カップホルダのコンパクト化を図ることができる。カップホルダを１個置きのカップホルダとして使用する際には、第１のカップリテーナを収納位置に位置させて第１のカップリテーナの収納位置における上壁に設けられる貫通孔を通してカップをカップホルダにて保持できる。また、カップホルダを２個置きのカップホルダとして使用する際には、第１のカップリテーナを収納位置から展開位置に回動させてカップベース内スペースを利用して１個目のカップをカップベースにて保持できるとともに第１のカップリテーナの展開位置における上壁に設けられる貫通孔を通して２個目のカップを第１のカップリテーナにて保持できる。
したがって、必要に応じて１個置きタイプのカップホルダ、２個置きタイプのカップホルダとして使用できるため、２個置きタイプのカップホルダとしての使用性は良好である。また、カップホルダの収納スペースが１個置きタイプのカップホルダの収納スペースで済むため、収納スペース上で有利である。
【０００８】
上記（２）の車両用カップホルダによれば、つぎの効果を得ることができる。
カップホルダの不使用時には、第１、第２のカップリテーナをそれぞれの収納位置に位置させることで車両用カップホルダのコンパクト化を図ることができる。カップホルダを１個置きのカップホルダとして使用する際には、第１、第２のカップリテーナをそれぞれの収納位置に位置させて第２のカップリテーナの収納位置における上壁に設けられる貫通孔を通してカップをカップホルダにて保持できる。また、カップホルダを２個置きのカップホルダとして使用する際には、第１のカップリテーナを収納位置から展開位置に回動させてカップベース内スペースを利用して１個目のカップをカップベースにて保持できるとともに、第１のカップリテーナが第１のカップリテーナの展開位置にあり第２のカップリテーナが第２のカップリテーナの収納位置にあるときにおける第２のカップリテーナの上壁に設けられる貫通孔を通して２個目のカップを第１、第２のカップリテーナにて保持できる。さらにまた、カップホルダを３個置きのカップホルダとして使用する際には、第１のカップリテーナを収納位置から展開位置に回動させてカップベース内スペースを利用して１個目のカップをカップベースにて保持でき、第２のカップリテーナを収納位置から展開位置に回動させて第１のカップリテーナ内スペースを利用して２個目のカップを第１のカップリテーナにて保持でき、第２のカップリテーナの展開位置における上壁に設けられる貫通孔を通して３個目のカップを第２のカップリテーナにて保持できる。
したがって、必要に応じて１個置きのカップホルダ、２個置きのカップホルダ、３個置きのカップホルダとして使用できるため、３個置きのカップホルダとしての使用性は良好である。また、カップホルダの収納スペースが１個置きタイプのカップホルダの収納スペースで済むため、収納スペース上で有利である。
【０００９】
上記（３）の車両用カップホルダによれば、つぎの効果を得ることができる。
カップホルダの不使用時には、第１、第２、第３のカップリテーナをそれぞれの収納位置に位置させることで車両用カップホルダのコンパクト化を図ることができる。カップホルダを１個置きのカップホルダとして使用する際には、第１、第２、第３のカップリテーナをそれぞれの収納位置に位置させて第２のカップリテーナの収納位置における上壁に設けられる貫通孔と第３のカップリテーナの収納位置にあるときにおける上壁に設けられる貫通孔の両方を通してカップをカップホルダにて保持できる。また、カップホルダを２個置きのカップホルダとして使用する際には、第１のカップリテーナを収納位置から展開位置に回動させてカップベース内スペースを利用して１個目のカップをカップベースにて保持できるとともに、第１のカップリテーナが第１のカップリテーナの展開位置にあり第２、第３のカップリテーナがそれぞれの収納位置にあるときにおける第３のカップリテーナの上壁に設けられる貫通孔を通して２個目のカップを第１、第２、第３のカップリテーナにて保持できる。さらにまた、カップホルダを３個置きのカップホルダとして使用する際には、第１のカップリテーナを収納位置から展開位置に回動させてカップベース内スペースを利用して１個目のカップをカップベースにて保持でき、第２のカップリテーナを収納位置から展開位置に回動させて第１のカップリテーナ内スペースを利用して２個目のカップを第１のカップリテーナにて保持でき、第２のカップリテーナが第２のカップリテーナの展開位置にあり第３のカップリテーナが第３のカップリテーナの収納位置にあるときにおける第３のカップリテーナの上壁に設けられる貫通孔を通して３個目のカップを第２、第３のカップリテーナにて保持できる。さらにまた、カップホルダを４個置きのカップホルダとして使用する際には、第１のカップリテーナを収納位置から展開位置に回動させてカップベース内スペースを利用して１個目のカップをカップベースにて保持でき、第２のカップリテーナを収納位置から展開位置に回動させて第１のカップリテーナ内スペースを利用して２個目のカップを第１のカップリテーナにて保持でき、第３のカップリテーナを収納位置から展開位置に回動させて第２のカップリテーナ内スペースを利用して３個目のカップを第２のカップリテーナにて保持でき、第３のカップリテーナの展開位置における上壁に設けられる貫通孔を通して４個目のカップを第３のカップリテーナにて保持できる。
したがって、必要に応じて１個置きのカップホルダ、２個置きのカップホルダ、３個置きのカップホルダ、４個置きのカップホルダとして使用できるため、４個置きのカップホルダとしての使用性は良好である。また、カップホルダの収納スペースが１個置きタイプのカップホルダの収納スペースで済むため、収納スペース上で有利である。
【図面の簡単な説明】
【００１０】
【図１】本発明実施例１の車両用カップホルダの、第１のカップリテーナが収納位置にあるときにおける斜視図である。
【図２】図１のＡ１−Ａ１線断面図である。
【図３】本発明実施例１の車両用カップホルダの、第１のカップリテーナが展開位置にあるときにおける斜視図である。
【図４】図３のＡ２−Ａ２線断面図である。
【図５】図３のＡ３−Ａ３線断面図である。
【図６】本発明実施例２の車両用カップホルダの、第１、第２のカップリテーナがそれぞれの収納位置にあるときにおける斜視図である。
【図７】図６のＢ１−Ｂ１線断面図である。
【図８】本発明実施例２の車両用カップホルダの、第１のカップリテーナが展開位置にあり第２のカップリテーナが収納位置にあるときにおける斜視図である。
【図９】図８のＢ２−Ｂ２線断面図である。
【図１０】図８のＢ３−Ｂ３線断面図である。
【図１１】本発明実施例２の車両用カップホルダの、第１、第２のカップリテーナがそれぞれの展開位置にあるときにおける斜視図である。
【図１２】図１１のＢ４−Ｂ４線断面図である。
【図１３】本発明実施例３の車両用カップホルダの、第１、第２、第３のカップリテーナがそれぞれの展開位置にあるときにおける斜視図である。
【図１４】図１３のＣ１−Ｃ１線断面図である。
【図１５】本発明実施例３の車両用カップホルダの、第１、第２のカップリテーナがそれぞれの展開位置にあり第３のカップリテーナが収納位置にあるときにおける断面図である。
【図１６】本発明実施例３の車両用カップホルダの、第１のカップリテーナが展開位置にあり第２、第３のカップリテーナがそれぞれの収納位置にあるときにおける断面図である。
【図１７】本発明実施例３の車両用カップホルダの、第１、第２、第３のカップリテーナがそれぞれの収納位置にあるときにおける断面図である。
【発明を実施するための形態】
【００１１】
図１〜図５は、本発明実施例１の車両用カップホルダを示しており、図６〜図１２は、本発明実施例２の車両用内装装置を示しており、図１３〜図１７は、本発明実施例３の車両用カップホルダを示している。
本発明実施例１〜本発明実施例３にわたって共通する部分には、本発明実施例１〜本発明実施例３にわたって同じ符号を付してある。
【００１２】
〔実施例１〕（図１〜図５）
まず、本発明実施例１について説明する。
<本発明実施例１の一般構成>
本発明実施例１の車両用カップホルダ（以下、単にカップホルダともいう）１０は、たとえば、車両の内装部材であるコンソールボックス装置の車両後端部に設けられるリヤ席用のカップホルダである。ただし、カップホルダ１０が設けられる場所は、コンソールボックス装置に限定されるものではなく、たとえば、インストルメントパネル、ドアアームレスト等であってもよい。なお、本発明実施例及び図示例では、カップホルダ１０がコンソールボックス装置の車両後端部に設けられる場合を例にとって説明する。
【００１３】
車両用カップホルダ１０は、図１に示すように、カップベース２０と、第１のカップリテーナ３０と、を有する。
【００１４】
カップベース２０は、樹脂製である。カップベース２０は、コンソールボックス装置に固定して設けられる。カップベース２０は、コンソールボックス装置に一体に形成されていてもよく、コンソールボックス装置と別体に形成されてコンソールボックス装置に固定して取付けられていてもよい。カップベース２０は、底壁２１と、底壁２１から上方に立ち上がる３方向側壁２２と、を備え、上面２３と該上面２３に連なる一側面（車両後側面）２４のみが開放している。      
【００１５】
第１のカップリテーナ３０は、樹脂製である。第１のカップリテーナ３０は、図５に示すように、車両左右方向に延びる回動軸Ｐ１まわりにカップベース２０に回動可能に支持されている。第１のカップリテーナ３０は、カップベース２０よりも一回り小さく作製されている。第１のカップリテーナ３０は、図１、図３に示すように、カップベース２０に対して、カップベース２０内に収納される収納位置３０ａ（図１参照）と、該収納位置３０ａからカップベース２０に対してカップベース２０に開放面（上面２３及び一側面２４）を通って９０度（略９０度を含む）回動した展開位置３０ｂ（図３参照）とに回動可能である。
【００１６】
<本発明実施例１に特有な構成>
本発明実施例１では、さらにつぎの特有な構成を備える。
第１のカップリテーナ３０は、直方体形状（略直方体形状を含む）である。第１のカップリテーナ３０には、第１のカップリテーナ３０が収納位置３０ａにあるときにおける上壁３１と第１のカップリテーナ３０が展開位置３０ｂにあるときにおける上壁３２とにそれぞれ、貫通孔３１ａ、３２ａが設けられている。また、貫通孔３１ａ、３２ａの少なくともいずれか一方（図示例では両方）は、カップドア６０により開閉可能とされている。
【００１７】
カップドア６０は、図２、図４に示すように、第１のカップリテーナ３０に回動可能に支持されている。カップドア６０は、たとえば、左右両側に開閉する観音開きタイプ（構造）とされている。カップドア６０は、第１のカップリテーナ３０に対して、カップドア６０が設けられる貫通孔を閉じる方向にトーションスプリング等からなる付勢部材６１により常時回動付勢されている。カップドア６０は、図５に示すように、第１のカップリテーナ３０内に配置されており、カップドア６０が設けられる貫通孔を閉じているとき該貫通孔の周囲にある第１のカップリテーナ３０部分の裏面に当接している。そのため、第１のカップリテーナ３０の内側から閉状態にあるカップドア６０に荷重がかかっても該荷重を第１のカップリテーナ３０で受けることができ、カップドア６０は動かず閉状態に保たれる。
【００１８】
本発明実施例１では、つぎの作用、効果を得ることができる。
（ａ）カップホルダ１０の不使用時には、図１に示すように、第１のカップリテーナ３０を収納位置３０ａに位置させることで車両用カップホルダ１０のコンパクト化を図ることができる。
（ｂ）カップホルダ１０を１個置きのカップホルダとして使用する際には、図２に示すように、第１のカップリテーナ３０を収納位置３０ａに位置させて第１のカップリテーナ３０の収納位置３０ａにおける上壁３１に設けられる貫通孔３１ａを通してカップＣをカップホルダ１０にて保持できる。
（ｃ）カップホルダ１０を２個置きのカップホルダとして使用する際には、図５に示すように、第１のカップリテーナ３０を収納位置３０ａから展開位置３０ｂに回動させてカップベース２０内スペースＳ１を利用して１個目のカップＣをカップベース２０にて保持できるとともに第１のカップリテーナ３０の展開位置３０ｂにおける上壁３２に設けられる貫通孔３２ａを通して２個目のカップＣを第１のカップリテーナ３０にて保持できる。
上記（ａ）〜（ｃ）より、必要に応じて１個置きタイプのカップホルダ、２個置きタイプのカップホルダとして使用できるため、２個置きタイプのカップホルダとしての使用性は良好である。また、カップホルダ１０の収納スペースが１個置きタイプのカップホルダの収納スペースで済むため、収納スペース上で有利である。
【００１９】
カップドア６０が設けられているため、つぎの作用、効果を得ることができる。
（ａ）カップドア６０が設けられているため、カップドア６０が設けられていない場合に比べてカップホルダ１０の意匠性を向上させることができる。
（ｂ）カップドア６０が側方または下方に開放する貫通孔を開閉する場合には、カップドア６０にて貫通孔を塞ぐことができる。そのため、カップホルダ１０を小物入れとして使用する場合に貫通孔から小物類が脱落することを抑制できる。
（ｃ）カップドア６０が上方に開放する貫通孔を開閉する場合には、図２、図４に示すように、カップドア６０がカップホルダ１０に収納されるカップＣの側面を保持する側面サポートとして働く。そのため、カップホルダ１０によるカップ保持性能が向上する。さらに、カップドア６０が観音開きタイプである場合には、観音開きタイプのカップドア６０がカップホルダ１０に収納されるカップＣの側面を左右両側から保持する側面サポートとして働く。そのため、カップホルダ１０によるカップ保持性能が著しく向上する。
【００２０】
〔実施例２〕（図６〜図１２）
つぎに、本発明実施例２について説明する。
本発明実施例２では、本発明実施例１の場合と異なり、カップホルダ１０が、カップベース２０と第１のカップリテーナ３０に加えて、さらに第２のカップリテーナ４０を有する。
【００２１】
本発明実施例２のカップホルダ１０は、<本発明実施例１の一般構成>と同じ一般構成を有し、さらにつぎの特有な構成を有する。
【００２２】
<本発明実施例２に特有な構成>
第１のカップリテーナ３０は、図８に示すように、第１のカップリテーナ３０が展開位置３０ｂにあるとき、底壁３３と該底壁３３から上方に立ち上がる３方向側壁３４とを備えており、上面３５と該上面３５に連なる一側面（車両後側面）３６のみが開放している。
【００２３】
第２のカップリテーナ４０は、樹脂製である。第２のカップリテーナ４０は、図１２に示すように、車両左右方向に延びる回動軸Ｐ２まわりに第１のカップリテーナ３０に回動可能に支持されている。第２のカップリテーナ４０は、第１のカップリテーナ３０よりも一回り小さく作製されている。第２のカップリテーナ４０は、図８、図１１に示すように、展開位置３０ｂにあるときにおける第１のカップリテーナ３０に対して、第１のカップリテーナ３０内に収納される収納位置４０ａ（図８参照）と、該収納位置４０ａから第１のカップリテーナ３０に対して第１のカップリテーナ３０の開放面（上面３５及び一側面３６）を通って９０度（略９０度を含む）回動した展開位置４０ｂ（図１１参照）とに回動可能である。
【００２４】
第２のカップリテーナ４０は、直方体形状（略直方体形状を含む）である。第２のカップリテーナ４０には、第１のカップリテーナ３０が第１のカップリテーナ３０の収納位置３０ａにあり第２のカップリテーナ４０が第２のカップリテーナ４０の収納位置４０ａにあるときにおける上壁４１（図６参照）と、第１のカップリテーナ３０が第１のカップリテーナ３０の展開位置３０ｂにあり第２のカップリテーナ４０が第２のカップリテーナ４０の収納位置４０ａにあるときにおける上壁４２（図８参照）と、第１のカップリテーナ３０が第１のカップリテーナ３０の展開位置３０ｂにあり第２のカップリテーナ４０が第２のカップリテーナ４０の展開位置４０ｂにあるときにおける上壁４３（図１１）とに、それぞれ、貫通孔４１ａ、４２ａ、４３ａが設けられている。また、貫通孔４１ａ、４２ａ、４３ａの少なくともいずれか１つはカップドア６０により開閉可能とされている。なお、本発明図示例では、貫通孔４１ａ、４２ａがそれぞれカップドア６０により開閉可能とされており、貫通孔４３ａがカップドア６０により開閉可能とされていない場合を示している。
【００２５】
カップドア６０は、図７、図９に示すように、第２のカップリテーナ４０に回動可能に支持されている。カップドア６０は、たとえば、左右両側に開閉する観音開きタイプ（構造）とされている。カップドア６０は、第２のカップリテーナ４０に対して、カップドア６０が設けられる貫通孔を閉じる方向にトーションスプリング等からなる付勢部材６１により常時回動付勢されている。カップドア６０は、図１２に示すように、第２のカップリテーナ４０内に配置されており、カップドア６０が設けられる貫通孔を閉じているとき該貫通孔の周囲にある第２のカップリテーナ４０部分の裏面に当接している。そのため、第２のカップリテーナ４０の内側から閉状態にあるカップドア６０に荷重がかかっても該荷重を第２のカップリテーナ４０で受けることができ、カップドア６０は動かず閉状態に保たれる。
【００２６】
本発明実施例２では、つぎの作用、効果を得ることができる。
（ａ）カップホルダ１０の不使用時には、図６に示すように、第１、第２のカップリテーナ３０，４０をそれぞれの収納位置３０ａ、４０ａに位置させることで車両用カップホルダ１０のコンパクト化を図ることができる。
（ｂ）カップホルダ１０を１個置きのカップホルダとして使用する際には、図７に示すように、第１、第２のカップリテーナ３０，４０をそれぞれの収納位置３０ａ、４０ａに位置させて第２のカップリテーナ４０の収納位置４０ａにおける上壁４１に設けられる貫通孔４１ａを通してカップＣをカップホルダ１０にて保持できる。
（ｃ）カップホルダ１０を２個置きのカップホルダとして使用する際には、図１０に示すように、第１のカップリテーナ３０を収納位置３０ａから展開位置３０ｂに回動させてカップベース２０内スペースＳ１を利用して１個目のカップＣをカップベース２０にて保持できるとともに、第１のカップリテーナ３０が第１のカップリテーナ３０の展開位置３０ｂにあり第２のカップリテーナ４０が第２のカップリテーナ４０の収納位置４０ａにあるときにおける第２のカップリテーナ４０の上壁４２に設けられる貫通孔４２ａを通して２個目のカップＣを第１、第２のカップリテーナ３０，４０にて保持できる。
（ｄ）カップホルダ１０を３個置きのカップホルダとして使用する際には、図１２に示すように、第１のカップリテーナ３０を収納位置３０ａから展開位置３０ｂに回動させてカップベース２０内スペースＳ１を利用して１個目のカップＣをカップベース２０にて保持でき、第２のカップリテーナ４０を収納位置４０ａから展開位置４０ｂに回動させて第１のカップリテーナ３０内スペースＳ２を利用して２個目のカップＣを第１のカップリテーナ３０にて保持でき、第２のカップリテーナ４０の展開位置４０ｂにおける上壁４３に設けられる貫通孔４３ａを通して３個目のカップＣを第２のカップリテーナ４０にて保持できる。
上記（ａ）〜（ｄ）より、必要に応じて１個置きのカップホルダ、２個置きのカップホルダ、第３個置きのカップホルダとして使用できるため、３個置きのカップホルダとしての使用性は良好である。また、カップホルダ１０の収納スペースが１個置きタイプのカップホルダの収納スペースで済むため、収納スペース上で有利である。
【００２７】
カップドア６０が設けられているため、つぎの作用、効果を得ることができる。
（ａ）カップドア６０が設けられているため、カップドア６０が設けられていない場合に比べてカップホルダ１０の意匠性を向上させることができる。
（ｂ）カップドア６０が側方または下方に開放する貫通孔を開閉する場合には、カップドア６０にて貫通孔を塞ぐことができる。そのため、カップホルダ１０を小物入れとして使用する場合に貫通孔から小物類が脱落することを抑制できる。
（ｃ）カップドア６０が上方に開放する貫通孔を開閉する場合には、図７、図９に示すように、カップドア６０がカップホルダ１０に収納されるカップＣの側面を保持する側面サポートとして働く。そのため、カップホルダ１０によるカップ保持性能が向上する。さらに、カップドア６０が観音開きタイプである場合には、観音開きタイプのカップドア６０がカップホルダ１０に収納されるカップＣの側面を左右両側から保持する側面サポートとして働く。そのため、カップホルダ１０によるカップ保持性能が著しく向上する。
【００２８】
〔実施例３〕（図１３〜図１７）
つぎに、本発明実施例３について説明する。
本発明実施例３では、本発明実施例２の場合と異なり、カップホルダ１０が、カップベース２０と第１、第２のカップリテーナ３０、４０に加えて、さらに第３のカップリテーナ５０を有する。
【００２９】
本発明実施例３のカップホルダ１０は、<本発明実施例１の一般構成>と同じ一般構成を有し、さらにつぎの特有な構成を有する。
【００３０】
<本発明実施例３に特有な構成>
第１のカップリテーナ３０は、図１３に示すように、第１のカップリテーナ３０が展開位置３０ｂにあるとき、底壁３３と該底壁３３から上方に立ち上がる３方向側壁３４とを備えており、上面３５と該上面３５に連なる一側面（車両後側面）３６のみが開放している。
【００３１】
第２のカップリテーナ４０は、樹脂製である。第２のカップリテーナ４０は、図１４に示すように、車両左右方向に延びる回動軸Ｐ２まわりに第１のカップリテーナ３０に回動可能に支持されている。第２のカップリテーナ４０は、第１のカップリテーナ３０よりも一回り小さく作製されている。第２のカップリテーナ４０は、図１５、図１６に示すように、展開位置３０ｂにあるときにおける第１のカップリテーナ３０に対して、第１のカップリテーナ３０内に収納される収納位置４０ａ（図１６参照）と、該収納位置４０ａから第１のカップリテーナ３０に対して第１のカップリテーナ３０の開放面（上面３５及び一側面３６）を通って９０度（略９０度を含む）回動した展開位置４０ｂ（図１５参照）とに回動可能である。
【００３２】
第２のカップリテーナ４０は、図１５に示すように、第１、第２のカップリテーナ３０，４０がそれぞれの展開位置３０ｂ、４０ｂにあるときに、底壁４４と該底壁４４から上方に立ち上がる３方向側壁４５とを備えており、上面４６と該上面４６に連なる一側面（車両後側面）４７のみが開放している。底壁４４は、図１７に示すように、第１、第２のカップリテーナ３０，４０がそれぞれの収納位置３０ａ、４０ａにあるときにおける上壁となる。底壁４４には、貫通孔４４ａが設けられている。
【００３３】
第３のカップリテーナ５０は、樹脂製である。第３のカップリテーナ５０は、図１４に示すように、車両左右方向に延びる回動軸Ｐ３まわりに第２のカップリテーナ４０に回動可能に支持されている。第３のカップリテーナ５０は、第２のカップリテーナ４０よりも一回り小さく作製されている。第３のカップリテーナ５０は、図１４、図１５に示すように、展開位置４０ｂにあるときにおける第２のカップリテーナ４０に対して、第２のカップリテーナ４０内に収納される収納位置５０ａ（図１５参照）と、該収納位置５０ａから第２のカップリテーナ４０に対して第２のカップリテーナ４０の開放面（上面４６及び一側面４７）を通って９０度（略９０度を含む）回動した展開位置５０ｂ（図１４参照）とに回動可能である。
【００３４】
第３のカップリテーナ５０は、直方体形状（略直方体形状を含む）である。第３のカップリテーナ５０には、第１のカップリテーナ３０が第１のカップリテーナ３０の収納位置３０ａにあり第２のカップリテーナ４０が第２のカップリテーナ４０の収納位置４０ａにあり第３のカップリテーナ５０が第３のカップリテーナ５０の収納位置５０ａにあるときにおける上壁５１（図１７参照）と、第１のカップリテーナ３０が第１のカップリテーナの展開位置３０ｂにあり第２のカップリテーナ４０が第２のカップリテーナ４０の収納位置４０ａにあり第３のカップリテーナ５０が第３のカップリテーナ５０の収納位置５０ａにあるときにおける上壁５２（図１６参照）と、第１のカップリテーナ３０が第１のカップリテーナ３０の展開位置３０ｂにあり第２のカップリテーナ４０が第２のカップリテーナ４０の展開位置４０ｂにあり第３のカップリテーナ５０が第３のカップリテーナ５０の収納位置５０ａにあるときにおける上壁５３（図１５参照）と、第１のカップリテーナ３０が第１のカップリテーナ３０の展開位置３０ｂにあり第２のカップリテーナ４０が第２のカップリテーナ４０の展開位置４０ｂにあり第３のカップリテーナ５０が第３のカップリテーナ５０の展開位置５０ｂにあるときにおける上壁５４（図１４参照）とに、それぞれ、貫通孔５１ａ、５２ａ，５３ａ，５４ａが設けられている。
【００３５】
第２のカップリテーナ４０に設けられる貫通孔４４ａおよび第３のカップリテーナ５０に設けられる貫通孔５１ａ、５２ａ，５３ａ，５４ａの少なくともいずれか１つは、カップドア６０により開閉可能とされている。なお、本発明図示例では、第２のカップリテーナ４０に設けられる貫通孔４４ａおよび第３のカップリテーナ５０に設けられる貫通孔５１ａ、５２ａ、５３ａがそれぞれカップドア６０により開閉可能とされており、第３のカップリテーナ５０に設けられる貫通孔５４ａがカップドア６０により開閉可能とされていない場合を示している。
【００３６】
第２のカップリテーナ４０の貫通孔４４ａを開閉するカップドア６０は、第２のカップリテーナ４０に回動可能に支持されている。また、第３のカップリテーナ５０の貫通孔５１ａ、５２ａ、５３ａを開閉するカップドア６０は、第３のカップリテーナ５０に回動可能に支持されている。カップドア６０は、たとえば、左右両側に開閉する観音開きタイプ（構造）とされている。第２のカップリテーナ４０の貫通孔４４ａを開閉するカップドア６０は、第２のカップリテーナ４０に対して、貫通孔４４ａを閉じる方向にトーションスプリング等からなる図示略の付勢部材により常時回動付勢されている。また、第３のカップリテーナ５０の貫通孔５１ａ、５２ａ、５３ａを開閉するカップドア６０は、第３のカップリテーナ５０に対して、貫通孔を閉じる方向にトーションスプリング等からなる図示略の付勢部材により常時回動付勢されている。
【００３７】
第２のカップリテーナ４０の貫通孔４４ａを開閉するカップドア６０は、第２のカップリテーナ４０内に配置されており、貫通孔４４ａを閉じているとき該貫通孔４４ａの周囲にある第２のカップリテーナ４０部分の裏面に当接している。そのため、第２のカップリテーナ４０の内側から閉状態にあるカップドア６０に荷重がかかっても該荷重をカップリテーナ４０で受けることができ、カップドア６０は動かず閉状態に保たれる。
【００３８】
第３のカップリテーナ５０の貫通孔５１ａ、５２ａ、５３ａを開閉するカップドア６０は、第３のカップリテーナ５０内に配置されており、貫通孔５１ａ、５２ａ、５３ａを閉じているとき該貫通孔５１ａ、５２ａ、５３ａの周囲にある第３のカップリテーナ５０部分の裏面に当接している。そのため、第３のカップリテーナ５０の内側から閉状態にあるカップドア６０に荷重がかかっても該荷重を第３のカップリテーナ５０で受けることができ、カップドア６０は動かず閉状態に保たれる。
【００３９】
本発明実施例３では、つぎの作用、効果を得ることができる。
（ａ）カップホルダ１０の不使用時には、図１７に示すように、第１、第２、第３のカップリテーナ３０，４０，５０をそれぞれの収納位置３０ａ、４０ａ、５０ａに位置させることで車両用カップホルダ１０のコンパクト化を図ることができる。
（ｂ）カップホルダ１０を１個置きのカップホルダとして使用する際には、第１、第２、第３のカップリテーナ３０，４０，５０をそれぞれの収納位置３０ａ、４０ａ、５０ａに位置させて第２のカップリテーナ４０の収納位置４０ａにおける上壁４４に設けられる貫通孔４４ａと第３のカップリテーナ５０の収納位置５０ａにあるときにおける上壁５１に設けられる貫通孔５１ａの両方を通してカップをカップホルダ１０にて保持できる。
（ｃ）カップホルダ１０を２個置きのカップホルダとして使用する際には、図１６に示すように、第１のカップリテーナ３０を収納位置３０ａから展開位置３０ｂに回動させてカップベース２０内スペースＳ１を利用して１個目のカップをカップベース２０にて保持できるとともに、第１のカップリテーナ３０が第１のカップリテーナ３０の展開位置３０ｂにあり第２、第３のカップリテーナ４０，５０がそれぞれの収納位置４０ａ、５０ａにあるときにおける第３のカップリテーナ５０の上壁５２に設けられる貫通孔５２ａを通して２個目のカップを第１、第２、第３のカップリテーナ３０，４０，５０にて保持できる。（ｄ）カップホルダ１０を３個置きのカップホルダとして使用する際には、図１５に示すように、第１のカップリテーナ３０を収納位置３０ａから展開位置３０ｂに回動させてカップベース２０内スペースＳ１を利用して１個目のカップをカップベース２０にて保持でき、第２のカップリテーナ４０を収納位置４０ａから展開位置４０ｂに回動させて第１のカップリテーナ３０内スペースＳ２を利用して２個目のカップを第１のカップリテーナ３０にて保持でき、第２のカップリテーナ４０が第２のカップリテーナ４０の展開位置４０ｂにあり第３のカップリテーナ５０が第３のカップリテーナ５０の収納位置５０ａにあるときにおける第３のカップリテーナ５０の上壁５３に設けられる貫通孔５３ａを通して３個目のカップを第２、第３のカップリテーナ４０，５０にて保持できる。
（ｅ）カップホルダ１０を４個置きのカップホルダとして使用する際には、図１４に示すように、第１のカップリテーナ３０を収納位置３０ａから展開位置３０ｂに回動させてカップベース２０内スペースＳ１を利用して１個目のカップをカップベース２０にて保持でき、第２のカップリテーナ４０を収納位置４０ａから展開位置４０ｂに回動させて第１のカップリテーナ３０内スペースＳ２を利用して２個目のカップを第１のカップリテーナ３０にて保持でき、第３のカップリテーナ５０を収納位置５０ａから展開位置５０ｂに回動させて第２のカップリテーナ４０内スペースＳ３を利用して３個目のカップを第２のカップリテーナ４０にて保持でき、第３のカップリテーナ５０の展開位置５０ｂにおける上壁５４に設けられる貫通孔５４ａを通して４個目のカップを第３のカップリテーナ５０にて保持できる。
上記（ａ）〜（ｅ）より、必要に応じて１個置きのカップホルダ、２個置きのカップホルダ、第３個置きのカップホルダ、４個置きのカップホルダとして使用できるため、４個置きのカップホルダとしての使用性は良好である。また、カップホルダ１０の収納スペースが１個置きタイプのカップホルダの収納スペースで済むため、収納スペース上で有利である。
【００４０】
カップドア６０が設けられているため、つぎの作用、効果を得ることができる。
（ａ）カップドア６０が設けられているため、カップドア６０が設けられていない場合に比べてカップホルダ１０の意匠性を向上させることができる。
（ｂ）カップドア６０が側方または下方に開放する貫通孔を開閉する場合には、カップドア６０にて貫通孔を塞ぐことができる。そのため、カップホルダ１０を小物入れとして使用する場合に貫通孔から小物類が脱落することを抑制できる。
（ｃ）カップドア６０が上方に開放する貫通孔を開閉する場合には、カップドア６０がカップホルダ１０に収納されるカップＣの側面を保持する側面サポートとして働く。そのため、カップホルダ１０によるカップ保持性能が向上する。さらに、カップドア６０が観音開きタイプである場合には、観音開きタイプのカップドア６０がカップホルダ１０に収納されるカップＣの側面を左右両側から保持する側面サポートとして働く。そのため、カップホルダ１０によるカップ保持性能が著しく向上する。
【符号の説明】
【００４１】
１０  車両用カップホルダ
２０  カップベース
２１  カップベースの底壁
２２  カップベースの３方向側壁
２３  カップベースの開放上面
２４  カップベースの開放一側面
３０  第１のカップリテーナ
３０ａ  第１のカップリテーナの収納位置
３０ｂ  第１のカップリテーナの展開位置
３１  第１のカップリテーナが収納位置にあるときにおける上壁
３１ａ  貫通孔
３２  第１のカップリテーナが展開位置にあるときにおける上壁
３２ａ  貫通孔
３３  第１のカップリテーナの底壁
３４  第１のカップリテーナの３方向側壁
３５  第１のカップリテーナの開放上面
３６  第１のカップリテーナの開放一側面
４０  第２のカップリテーナ
４０ａ  第２のカップリテーナの収納位置
４０ｂ  第２のカップリテーナの展開位置
４１  第１、第２のカップリテーナがそれぞれの収納位置にあるときにおける第２のカップリテーナの上壁
４１ａ  貫通孔
４２  第１のカップリテーナが展開位置にあり第２のカップリテーナが収納位置にあるときにおける第２のカップリテーナの上壁
４２ａ  貫通孔
４３  第１、第２のカップリテーナがそれぞれの展開位置にあるときにおける第２のカップリテーナの上壁
４３ａ  貫通孔
４４  第２のカップリテーナの底壁
４４ａ  貫通孔
４５  第２のカップリテーナの３方向側壁
４６  第２のカップリテーナの開放上面
４７  第２のカップリテーナの開放一側面
５０  第３のカップリテーナ
５０ａ  第３のカップリテーナの収納位置
５０ｂ  第３のカップリテーナの展開位置
５１  第１、第２、第３のカップリテーナがそれぞれの収納位置にあるときにおける第３のカップリテーナの上壁
５１ａ  貫通孔
５２  第１のカップリテーナが展開位置にあり第２、第３のカップリテーナが収納位置にあるときにおける第３のカップリテーナの上壁
５２ａ  貫通孔
５３  第１、第２のカップリテーナが展開位置にあり第３のカップリテーナが収納位置にあるときにおける第３のカップリテーナの上壁
５３ａ  貫通孔
５４  第１、第２、第３のカップリテーナがそれぞれの展開位置にあるときにおける第３のカップリテーナの上壁
５４ａ  貫通孔
６０  カップドア
６１  付勢部材
【図１】
2015042514.tif 000003
【図２】
2015042514.tif 000004
【図３】
2015042514.tif 000005
【図４】
2015042514.tif 000006
【図５】
2015042514.tif 000007
【図６】
2015042514.tif 000008
【図７】
2015042514.tif 000009
【図８】
2015042514.tif 000010
【図９】
2015042514.tif 000011
【図１０】
2015042514.tif 000012
【図１１】
2015042514.tif 000013
【図１２】
2015042514.tif 000014
【図１３】
2015042514.tif 000015
【図１４】
2015042514.tif 000016
【図１５】
2015042514.tif 000017
【図１６】
2015042514.tif 000018
【図１７】
2015042514.tif 000019